(57)【要約】【課題】空気エネルギーボイラーを開示する。【解決手段】回転軸は回転ユニットの出力端に固定され、回転軸には少なくとも一段の突起があり、各変換ユニットの駆動ピストンのスライダーは空気キャビティに設置され、駆動ピストンは空気キャビティを第一、第二キャビティに分け、連結レバーは第二キャビティに設置され、且つ連結レバーは駆動ピストンと固定接続される。ピストンロッドの両端はそれぞれに連結レバー及び対応する突起と回転可能に連結される。第一キャビティには空気充填口が設置され、複数の加熱管の一端は第一キャビティと連結され、複数の加熱管の他端は炉体の中に入れられる。炉体は密封であり、炉体の中に水が格納され、炉体には吐気口が設置され、炉体の吐気口はパイプを通して各使用端末に接続される。空気が加熱エネルギーとして使用されるため、設置上の条件の制限がなく、安全、省電力である。【選択図】図１
2020524256.tif 000002
【特許請求の範囲】
【請求項１】
一種の空気エネルギーボイラーであって、
回転ユニット、回転軸、炉体及び少なくとも一つの変換ユニットが含まれ、
前記回転軸は、前記回転ユニットの出力端に固定され、前記回転軸には少なくとも一段の突起があり、
前記突起は前記変換ユニットとそれぞれ対応して設置され、
前記各変換ユニットは、ピストンロッド、空気キャビティ、駆動ビストン、連結レバー及び複数の加熱管を含み、
前記駆動ピストンのスライダーは前記空気キャビティに設置され、前記駆動ピストンは前記空気キャビティを第一キャビティと第二キャビティに分け、
前記連結レバーは前記第二キャビティに設置され、且つ前記連結レバーは前記駆動ピストンと固定接続されており、
前記ピストンロッドの両端はそれぞれに前記連結レバー及び前記対応する突起と回転可能に連結されており、
前記第一キャビティには空気充填口が設置され、
前記複数の加熱管の一端は前記第一キャビティと連結され、前記複数の加熱管の他端は前記炉体の中に入れられており、
前記炉体は密封であり、前記炉体の中に水が格納され、前記炉体には吐気口が設置され、前記炉体の前記吐気口はパイプを通して各使用端末に接続されており、
前記回転ユニットの回転速度を調整することにより、前記第一キャビティ内の空気加熱の温度及び時間を調整することにより、水蒸気温度を調整することができ、
前記空気充填口に取り付けられた一方向弁を含み、
前記各変換ユニットの中の前記空気キャビティ内の前記空気充填口の前記一方向弁と接続される空気缶を含み、
前記空気缶と前記各一方向弁の接続配管には減圧弁が設置されていることを特徴とする、一種の空気エネルギーボイラー。
【請求項２】
前記突起が、前記ピストンロッド上の対応する部分が折り曲げられて形成されることを特徴とする、請求項１に記載の一種の空気エネルギーボイラー。
【請求項３】
前記突起は、前記ピストンロッドに該当する部分に固定設置されていることを特徴とする、請求項１に記載の空気エネルギーボイラー。
【請求項４】
それぞれの前記突起には２つの第１リミットプレートが固定され、前記２つの第１リミットプレートは前記ピストンロッドの両側にあることを特徴とする、請求項１〜３のいずれかに記載の一種の空気エネルギーボイラー。
【請求項５】
前記回転軸の前記回転ユニット端から離れている一端にフライホイールが設置されていることを特徴とする、請求項１に記載の一種の空気エネルギーボイラー。
【請求項６】
前記ピストンロッドは前記駆動ピストンに平行設置され、前記連結レバーの両端は、２つの相対設置された接続板で固定されていることを特徴とする、請求項１に記載の一種の空気エネルギーボイラー。
【請求項７】
前記連結レバーには第二リミットプレートが２つ設置され、前記２つの第二リミットプレートは前記ピストンロッドの両側に固定されていることを特徴とする、請求項１〜３のいずれかに記載の一種の空気エネルギーボイラー。
【請求項８】
前記空気充填口には前記一方向弁が取り付けられていることを特徴とする、請求項１に記載の一種の空気エネルギーボイラー。
【請求項９】
前記ボイラーには前記空気缶も含まれ、前記空気缶は前記各変換ユニットの中の前記空気キャビティ内の前記空気充填口の前記一方向弁と接続されていることを特徴とする、請求項８に記載の一種の空気エネルギーボイラー。
【請求項１０】
前記空気缶と前記各一方向弁の接続配管には前記減圧弁が設置されていることを特徴とする、請求項９に記載の一種の空気エネルギーボイラー。
【発明の詳細な説明】
【技術分野】
【０００１】
本発明は、エネルギー変換技術の分野に属し、特に一種の空気エネルギーボイラーに関する。
【背景技術】
【０００２】
ボイラーはエネルギー変換装置として、炉体に注入するエネルギーは石炭の化学エネルギー、電気エネルギー、太陽エネルギーなどの熱エネルギー変換形式があり、外に一定の熱エネルギーを持つ蒸気、高温水などの熱媒体を排出する。
【発明の概要】
【発明が解決しようとする課題】
【０００３】
本発明を実現する過程で、先行技術には以下のような不足があることを発見した。
化学エネルギー燃焼の熱エネルギー転換形式を採用している場合、出水温度と水圧が気候条件の影響を大きく受け、不安定で水温を調節しにくい。また、エネルギー消費が高く、大量の有毒ガスを排出するに伴い、耐用年数が低い。
【０００４】
また、電気エネルギーの熱エネルギー転換の形式を採用している場合、主にエネルギー消耗が高くて、漏電しやすく、人身事故が発生しやすいなどの不足がある。
【０００５】
また、太陽エネルギーの熱エネルギー変換形式を採用している場合、理論的には最も省エネであるが、現実的な環境の中でよく雨が降って、曇りや北部の冬等に電気的に補助が必要である。電気温水器のように安全性が低く、一般的な太陽光で使われている真空管は壊れやすく、修理が面倒で、使用年限が低い。
【０００６】
上記の先行技術に問題がある場合、本発明は空気エネルギーボイラーを提供する。
【課題を解決するための手段】
【０００７】
本発明は、以下の技術案により上記の目的を達成する。
【０００８】
一種の空気エネルギーボイラーであり、上記のボイラーは回転ユニット、回転軸、炉体及び少なくとも一つの転換ユニットが含まれ、上記の回転軸は上記回転ユニットの出力端に固定され、上記回転軸には少なくとも一段の突起があり、上記突起は上記転換ユニットとそれぞれ対応設置する；上記各変換ユニットはピストンロッド、空気キャビティ、駆動ビストン、連結レバー及び複数の加熱管を含み、上記駆動ピストンのスライダーは上記空気キャビティに設置され、上記駆動ピストンは上記空気キャビティを第一キャビティと第二キャビティに分け、上記連結レバーは上記第二キャビティに設置され、且つ上記連結レバーは上記駆動ピストンと固定接続されている。上記ピストンロッドの両端はそれぞれに上記連結レバー及び上記対応する突起と回転可能に連結されている。上記第一キャビティには空気充填口が設置され、上記複数の加熱管の一端は上記第一キャビティと連結され、上記複数の加熱管の他端は上記炉体の中に入れられている。上記炉体は密封であり、上記炉体の中に水が格納され、上記炉体には吐気口が設置され、上記炉体の吐気口はパイプを通して各使用端末に接続されている。
【０００９】
任意に、上記突起が、上記ピストンロッド上の対応する部分が折り曲げられて形成される。
【００１０】
任意に、上記突起は、ピストンロッド該当する部分に固定設置されている。
【００１１】
更に、上記それぞれの突起には２つの第１リミットプレートが固定され、この２つの第１リミットプレートはピストンロッドの両側にあり、ピストンロッドの移動を制限する。
【００１２】
更に、上記回転軸の回転ユニット端から離れている一端にフライホイールが設置されている。
【００１３】
更に、上記ピストンロッドは、駆動ピストンに平行設置され、上記連結レバーの両端は、２つの相対設置された接続板で固定されている。
【００１４】
更に、上記連結レバーには第二リミットプレートが２つ設置され、２つの第二リミットプレートは、ピストンロッドの両側に固定され、ピストンロッドの移動を制限する。
【００１５】
更に、上記空気充填口には一方向弁が取り付けられ、吸気口を通して第一キャビティに空気を充填し、空気漏れを防ぐことができる。
【００１６】
更に、上記ボイラーには空気缶も含まれ、上記空気缶は上記各変換ユニットの中の空気キャビティ内の空気充填口の一方向弁と接続されている。
【００１７】
好ましくは、上記空気缶と各一方向弁の接続配管には減圧弁が設置され、減圧弁を調整することにより、一方向弁への圧力を予め設定した範囲に抑えることができる。
【発明の効果】
【００１８】
本発明の有益な効果は：
本発明の空気エネルギーボイラーは、回転ユニットの出力端を回転させ、回転軸上の突起回転を駆動し、突起は、連結棒によって駆動ピストンを駆動して空気キャビティ内をスライドさせ、その後、第一キャビティ内に空気をいれ、ピストンを駆動して空気キャビティの中の第一キャビティ内の空気を圧縮して熱を発生させ、熱を発生させた後の空気は加熱管に入る。炉体の中で水を温め、水を蒸発させて水蒸気にし、排出口を通して各使用端末に排出する。
【００１９】
本発明の空気エネルギーボイラーは、空気が加熱エネルギーであるため、要求される使用温度を迅速に達成することができ、設置には条件の制限がなく、電気ユニットが直接に水に接触することがないため、漏電の危険がなく、安全で利用することができ、省エネ・節電の特徴もあるため、上記の背景技術における問題を回避することができ、また、背景技術における熱エネルギー変換形式に比べて、時間が短く、応答時間が速く、温度が高いという特徴がある。
【図面の簡単な説明】
【００２０】
本発明の実施の形態における技術的な態様をより明確に説明するために、以下に、実施の形態の説明において必要とされる図面を簡単に紹介する。明らかに、以下の説明における図面は本発明の一部の実施形態にすぎず、当業者にとっては、創造的労働をしない前提で、これらの図面に基づいて他の図面を作ることもできる。
【図１】本発明の実施形態の一種の空気エネルギーボイラーの構成図である。
【図２】本実施形態の一種の空気エネルギーボイラーの変換ユニットの構成図である。
【発明を実施するための形態】
【００２１】
以下、本発明の実施形態の図面に基づき、本発明の実施形態における技術案を明確的、完全的に説明し、明らかに、説明した実施形態は、全ての実施形態ではなく、本発明の一部の実施形態である。本発明の実施例に基づいて、当業者は、創造的な労働がしていない前提で取得される他の実施形態は、本発明の保護の範囲に属する。
【００２２】
本発明の実施形態は、空気を加熱してエネルギーを発生させる一種の空気エネルギーボイラーを開示する。
【００２３】
図１は、本発明の実施形態の空気エネルギーボイラーの構成図である。図１を参照すると、空気エネルギーボイラーは、回転ユニット１、回転軸２、炉体３及び少なくとも一つの変換ユニットが含まれる。回転軸２は、回転ユニット１の出力端に固定される。回転軸２には、少なくとも一段の突起６がある。突起６は変換ユニットaとそれぞれ対応して設置される。
【００２４】
図２は、本発明の実施形態の一種の空気エネルギーボイラーの変換ユニットの構成図である。図２に示したように、各変換ユニットはピストンロッド７、空気キャビティ８、駆動ビストン９、連結レバー１０及び複数の加熱管５を含む。駆動ピストン９は、スライダーが空気キャビティ８に設置され、空気キャビティ８を第一キャビティ８ａと第二キャビティ８ｂに分ける。
【００２５】
連結レバー１０は、第二キャビティ８ｂに設置され、駆動ピストン９と固定接続されている。ピストンロッド７の両端は、連結レバー１０及び対応する突起６とそれぞれ回転可能に連結されている。第一キャビティ８ａには空気充填口が設置されている。複数の加熱管５は、一端が第一キャビティ８ａと連結され、他端が炉体３の中に入れられている。炉体３は密封であり、炉体３の中に水が格納される。炉体３には吐気口１１が設置され、炉体３の吐気口１１はパイプを通して各使用端末に接続されている。
【００２６】
本発明の実施形態の一種の空気エネルギーボイラーは、回転ユニット１の出力端を回転させ、回転軸２上の突起６を回転駆動する。突起６は、連結レバー１０によって駆動ピストン９を駆動して空気キャビティ８内をスライドさせる。その後、第一キャビティ８ａ内に空気を入れ、駆動ピストン９を駆動して空気キャビティ８の中の第一キャビティ８ａ内の空気を圧縮して熱を発生させる。熱を発生させた後の空気は加熱管５に入る。炉体３の中で水を温め、水を蒸発させて水蒸気にし、排出口を通して各使用端末に排出する。
【００２７】
本実施形態の空気エネルギーボイラーは、空気が加熱エネルギーであるため、要求される使用温度を迅速に達成することができ、設置には条件の制限がなく、電気ユニットが直接に水に接触することがない。このため、漏電の危険がなく、安全に利用することができ、省エネ・節電することができる。よって、上記の背景技術における問題を回避することができ、また、背景技術における熱エネルギー変換形式に比べて、時間が短く、応答時間が速く、温度が高いという特徴がある。本発明の実施形態における回転ユニット１は、回転シリンダであってもよいし、高出力で搬送されるモータであってもよい。本実施形態の回転ユニット１の具体的な構成については、これに限定されない。
【００２８】
本実施形態では、回転ユニット１の回転速度を調整することにより、第一キャビティ８ａ内の空気加熱の温度及び時間を調整することにより、水蒸気温度を調整することができる。
【００２９】
図１に示したように、本実施形態の突起６は、「几」の形であり、ピストンロッド７上の対応する部分が折り曲げられて形成される。突起６とピストンロッド７は、２つの分離部材であってもよく、突起６は、ピストンロッド７上の対応する部位に半田付け等で固定して設置してもよいが、本実施形態の構成に限定されない。
【００３０】
さらに、図２に示したように、それぞれの突起６には２つの第１リミットプレート１２が固定することができ、この２つの第１リミットプレート１２はピストンロッド７の両側にあり、ピストンロッド７の移動を制限する。
【００３１】
第１リミットプレート１２は、突起６に溶接又はねじ接続を用いて取り付けることができる。図１に示したように、回転軸２の回転ユニット１の端から離れている一端にフライホイール１３が設置され、フライホイール１３は、回転軸２が大きな回転慣性モーメントを有するように、一定のエネルギーを保存することができる。
【００３２】
回転軸２には、複数の支持ホルダが支持されてもよく、支持ホルダの中央には軸受けを設けることができる。回転軸２はこの軸受けに設置され、回転軸２の回転が安定していることを保証する。
【００３３】
図２に示したように、連結レバー１０は、駆動ピストン９に平行設置され、連結レバー１０の両端は、２つの相対設置された接続板１４で駆動ピストン９に固定されている。
【００３４】
さらに、図２に示したように、連結レバー１０には第二リミットプレート１５が２つ固定設置されることができる。２つの第二リミットプレート１５は、ピストンロッド７の両側に固定され、ピストンロッド７の移動を制限する。
【００３５】
第二キャビティ８ｂは、密封してもよいし、密封しなくてもよい。第二キャビティ８ｂが密封されている場合は、第二キャビティ８ｂにはピストンロッド７の回転のための空間が設けられる必要がある。
【００３６】
図２に示したように、空気充填口には、一方向弁１６が取り付けられることができる。密封した空気キャビティ８内に空気を充填すると、一方向弁が開き、空気の充填が完了した後、一方向弁１６が閉じられ、空気漏れを防ぐことができる。
【００３７】
図１に示したように、空気エネルギーボイラーには、空気缶１９も含まれる。空気缶１９は、各変換ユニットの中の空気キャビティ８内の空気充填口の一方向弁１６と接続され、空気缶１９を通し、すべての空気キャビティ８への空気充填作業を行うことができる。
【００３８】
空気缶１９は、一方向弁１６とそれぞれに対応して設定されてもよい。すなわち、各空気缶１９は一つの空気キャビティ８に空気が供給できれば、本実施形態に限定されない。
【００３９】
図１と図２に示したように、空気缶１９と各一方向弁１６の接続配管には減圧弁１８を設置することができる。減圧弁１８を調整することにより、一方向弁１６への圧力を予め設定した範囲に抑えることができる。
【００４０】
図１に示したように、空気キャビティ８と炉体３の間にフランジ２０を接続して設置することができ、加熱パイプの取り付けが安定していることを保証する。
【００４１】
また、図１に示したように、安全弁１７を炉体３に取り付けることができる。通常の使用時には、安全弁１７は常に閉状態となり、炉体３内の圧力が所定値を超えると、安全弁１７を介して媒体を外部に排出することにより、安全を保障することができる。
【００４２】
また、図１に示したように、炉体３に圧力コントローラ４を取り付けてもよい。また、圧力制御装置４は、炉体３内の圧力値を表示し、炉体３内部の圧力を調整して水蒸気の排出温度を制御することができる。
【００４３】
以上説明した実施形態は、本発明のより良い実施形態であり、本発明を説明するためだけに使用されるものであって、本発明をいかなる形式的に制限するものではなく、いずれの属する技術分野においても、通常の知識を有する者は、本発明の技術的特徴から逸脱しない範囲において、本発明に開示された技術コンテンツを利用して部分的に変更または修飾された等価な実施形態を有し、本発明の技術的特徴内容から逸脱していない限り、いずれも本発明の技術的特徴の範囲内にある。
【符号の説明】
【００４４】
１  回転ユニット
２  回転軸
３  炉体
４  圧力制御装置
５  加熱管
６  突起
７  ピストンロッド
８  空気キャビティ
８ａ  第一キャビティ
８ｂ  第二キャビティ
９  駆動ピストン
１０  連結レバー
１１  吐気口
１２  第１リミットプレート
１３  フライホイール
１４  接続板
１５  第二リミットプレート
１６  一方向弁
１７  安全弁
１８  減圧弁
１９  空気缶
２０  フランジ
【図１】
2020524256.tif 000003
【図２】
2020524256.tif 000004
【国際調査報告】
2020524256.tif 000005
2020524256.tif 000006
2020524256.tif 000007
2020524256.tif 000008